【手続補正書】
【提出日】平成16年12月10日(2004.12.10)
【手続補正１】
【補正対象書類名】明細書
【補正対象項目名】特許請求の範囲
【補正方法】変更
【補正の内容】
【特許請求の範囲】
【請求項１】
画像情報を生成する画像情報生成装置と、前記画像情報生成装置が生成した画像情報に基づいて用紙の両面に画像を形成し得る画像形成装置とを有する画像形成システムであって、
前記画像情報生成装置は、
画像情報を生成する画像情報生成手段と、
前記画像情報を、用紙の第１面へ形成すべき第１の画像情報又は前記用紙の第２面へ形成すべき第２の画像情報であるかを識別可能に記憶する記憶手段と、
前記第１の画像情報と前記第２の画像情報のいずれを前記画像形成装置へ送信すべきかを選択するための第１の信号を前記画像形成装置から受信する第１の受信手段と、
前記第１の受信手段が受信した前記第１の信号に基づいて、前記第１の画像情報と前記第２の画像情報のいずれかを選択する選択手段と、
前記選択手段が選択した画像情報を前記画像形成装置へ送信する第１の送信手段とを有し、
前記画像形成装置は、
前記第１の信号を前記第１の受信手段へ送信する第２の送信手段と、
前記第１の送信手段が送信した前記画像情報を受信する第２の受信手段と、
前記第２の受信手段が受信した画像情報に基づいて前記用紙の第１面又は第２面に画像を形成する画像形成手段と、
を有することを特徴とする画像形成システム。
【請求項２】
前記画像情報生成手段は、外部装置から受信したＰＤＬデータに基づいて画像情報を生成することを特徴とする請求項１に記載の画像形成システム。
【請求項３】
前記第２の送信手段は、画像情報の送信を要求する要求信号を前記画像情報生成装置へ送信し、
前記第２の受信手段は、前記要求信号の送信に応じて前記画像情報生成装置から画像情報を受信することを特徴とする請求項１又は２に記載の画像形成システム。
【請求項４】
前記第１の送信手段は、前記画像形成装置へ送信可能な複数ページの画像情報に関するページ情報を送信し、
前記第２の送信手段は、前記ページ情報に関連するページの送信を要求する前記要求信号を前記画像情報生成装置へ送信することを特徴とする請求項３に記載の画像形成システム。
【請求項５】
前記画像形成装置は、前記第１の画像情報又は前記第２の画像情報のいずれを前記画像情報生成装置から受信するべきかを決定する決定手段を有し、
前記第２の送信手段は、前記決定手段の決定結果を示す前記第１の信号を送信することを特徴とする請求項１乃至４のいずれかに記載の画像形成システム。
【請求項６】
前記決定手段は、前記第１の画像情報又は前記第２の画像情報のいずれが受信されるべきかを、前記用紙の搬送状態に基づいて決定することを特徴とする請求項５に記載の画像形成システム。
【請求項７】
用紙の両面に画像を形成し得る画像形成装置に送信すべき画像情報を生成する画像情報生成装置であって、
画像情報を生成する画像情報生成手段と、
前記画像情報を、用紙の第１面へ形成すべき第１の画像情報又は前記用紙の第２面へ形成すべき第２の画像情報であるかを識別可能に記憶する記憶手段と、
前記第１の画像情報と前記第２の画像情報のいずれを前記画像形成装置へ送信すべきかを選択するための第１の信号を前記画像形成装置から受信する受信手段と、
前記受信手段が受信した前記第１の信号に基づいて、前記第１の画像情報と前記第２の画像情報のいずれかを選択する選択手段と、
前記選択手段が選択した画像情報を前記画像形成装置へ送信する送信手段と、
を有することを特徴とする画像情報生成装置。
【請求項８】
前記画像情報生成手段は、外部装置から受信したＰＤＬデータに基づいて画像情報を生成することを特徴とする請求項７に記載の画像情報生成装置。
【請求項９】
前記送信手段は、前記画像形成装置へ送信可能な複数ページの画像情報に関するページ情報を送信することを特徴とする請求項８に記載の画像情報生成装置。
【請求項１０】
画像情報を生成する画像情報生成装置が生成した画像情報に基づいて用紙の両面に画像を形成し得る画像形成装置であって、
用紙の第１面に形成すべき第１の画像情報と前記用紙の第２面に形成すべき第２の画像情報のいずれを前記画像情報生成装置から受信すべきかを決定する決定手段と、
前記決定手段の決定結果を示す所定信号を前記画像情報生成装置へ送信する送信手段と、
前記画像情報生成装置が送信した前記画像情報を受信する受信手段と、
前記受信手段が受信した画像情報に基づいて前記用紙の第１面又は第２面に画像を形成する画像形成手段と、
を有することを特徴とする画像形成装置。
【請求項１１】
前記送信手段は、画像情報の送信を要求する要求信号を前記画像情報生成装置へ送信し、
前記受信手段は、前記要求信号の送信に応じて前記画像情報生成装置から画像情報を受信することを特徴とする請求項１０に記載の画像形成装置。
【請求項１２】
前記受信手段は、前記画像情報生成装置が送信可能な複数ページの画像情報に関するページ情報を受信し、
前記送信手段は、前記ページ情報に関連するページの送信を要求する前記要求信号を前記画像情報生成装置へ送信することを特徴とする請求項１０又は１１に記載の画像形成装置。
【請求項１３】
前記第１の画像情報又は前記第２の画像情報のいずれを前記画像情報生成装置から受信するべきかを決定する第２の決定手段を有し、
前記送信手段は、前記第２の決定手段の決定結果を示す前記所定信号を送信することを特徴とする請求項１０乃至１２のいずれかに記載の画像形成装置。
【手続補正２】
【補正対象書類名】明細書
【補正対象項目名】発明の名称
【補正方法】変更
【補正の内容】
【発明の名称】画像形成システム、画像情報生成装置及び画像形成装置
【手続補正３】
【補正対象書類名】明細書
【補正対象項目名】００２２
【補正方法】変更
【補正の内容】
【００２２】
【課題を解決するための手段】
上記課題を解決し、スループットの優れた両面印刷を可能にする画像形成システム、画像情報生成装置及び画像形成装置は主として以下の構成からなることを特徴とする。
【手続補正４】
【補正対象書類名】明細書
【補正対象項目名】００２３
【補正方法】変更
【補正の内容】
【００２３】
すなわち、画像情報を生成する画像情報生成装置と、前記画像情報生成装置が生成した画像情報に基づいて用紙の両面に画像を形成し得る画像形成装置とを有する画像形成システムであって、
前記画像情報生成装置は、
画像情報を生成する画像情報生成手段と、
前記画像情報を、用紙の第１面へ形成すべき第１の画像情報又は前記用紙の第２面へ形成すべき第２の画像情報であるかを識別可能に記憶する記憶手段と、
前記第１の画像情報と前記第２の画像情報のいずれを前記画像形成装置へ送信すべきかを選択するための第１の信号を前記画像形成装置から受信する第１の受信手段と、
前記第１の受信手段が受信した前記第１の信号に基づいて、前記第１の画像情報と前記第２の画像情報のいずれかを選択する選択手段と、
前記選択手段が選択した画像情報を前記画像形成装置へ送信する第１の送信手段とを有し、
前記画像形成装置は、
前記第１の信号を前記第１の受信手段へ送信する第２の送信手段と、
前記第１の送信手段が送信した前記画像情報を受信する第２の受信手段と、
前記第２の受信手段が受信した画像情報に基づいて前記用紙の第１面又は第２面に画像を形成する画像形成手段と、
を有することを特徴とする。
【手続補正５】
【補正対象書類名】明細書
【補正対象項目名】００２４
【補正方法】変更
【補正の内容】
【００２４】
また、用紙の両面に画像を形成し得る画像形成装置に送信すべき画像情報を生成する画像情報生成装置は、
画像情報を生成する画像情報生成手段と、
前記画像情報を、用紙の第１面へ形成すべき第１の画像情報又は前記用紙の第２面へ形成すべき第２の画像情報であるかを識別可能に記憶する記憶手段と、
前記第１の画像情報と前記第２の画像情報のいずれを前記画像形成装置へ送信すべきかを選択するための第１の信号を前記画像形成装置から受信する受信手段と、
前記受信手段が受信した前記第１の信号に基づいて、前記第１の画像情報と前記第２の画像情報のいずれかを選択する選択手段と、
前記選択手段が選択した画像情報を前記画像形成装置へ送信する送信手段と、
を有することを特徴とする。
【手続補正６】
【補正対象書類名】明細書
【補正対象項目名】００２５
【補正方法】変更
【補正の内容】
【００２５】
また、画像情報を生成する画像情報生成装置が生成した画像情報に基づいて用紙の両面に画像を形成し得る画像形成装置は、
用紙の第１面に形成すべき第１の画像情報と前記用紙の第２面に形成すべき第２の画像情報のいずれを前記画像情報生成装置から受信すべきかを決定する決定手段と、
前記決定手段の決定結果を示す所定信号を前記画像情報生成装置へ送信する送信手段と、
前記画像情報生成装置が送信した前記画像情報を受信する受信手段と、
前記受信手段が受信した画像情報に基づいて前記用紙の第１面又は第２面に画像を形成する画像形成手段と、
を有することを特徴とする。
【手続補正７】
【補正対象書類名】明細書
【補正対象項目名】００７６
【補正方法】変更
【補正の内容】
【００７６】
【発明の効果】
以上説明したように本発明によれば、用紙の第１面へ形成すべき第１の画像情報と用紙の第２面へ形成すべき第２の画像情報のいずれを画像情報生成装置から画像形成装置へ送信すべきかを選択するための第１の信号（所定信号）を、画像形成装置から画像情報生成装置に送信し、画像情報生成装置が第１の信号（所定信号）に基づいて適切な画像情報を画像形成装置に送信することで、画像形成装置及び画像情報生成装置の状況に応じた適切な画像情報の送受信をすることができる画像形成システム、画像情報生成装置及び画像形成装置を提供することができる。